(57)【要約】【課題】端末が接続可能であるか否かをユーザが簡単に知ることができ、確実に端末と接続することができ、接続する端末の切り替えが容易である通信装置、通信システム、及びプログラムを提供すること。【解決手段】  車載装置１は、登録された携帯電話１３ａ、１３ｂ、１３ｃのそれぞれに対し検出動作を行い、検出された携帯電話を表示装置１９に表示する。車載装置１は、検出された携帯電話のうち、ユーザが操作装置１１で選択したものに、「選択」の表示を付し、その携帯電話との接続を行う。ユーザが操作装置１１により、他の携帯電話を選択し直したときは、その携帯電話に接続を切り替える。【選択図】  図３
2006005744.tif 000002
【特許請求の範囲】
【請求項１】
端末と接続して通信が可能な通信装置であって、
前記端末を検出する検出手段と、
情報を表示可能な表示手段と、
前記検出手段に前記端末を検出させ、検出された前記端末を前記表示手段に表示させる制御手段と、を備えることを特徴とする通信装置。
【請求項２】
前記端末の登録を受け付ける登録手段を備え、
前記制御手段は、前記登録手段にて登録された前記端末を前記表示手段に表示させるとともに、前記登録手段にて登録された前記端末を、前記検出手段に検出させることを特徴とする請求項１記載の通信装置。
【請求項３】
前記制御手段は、前記登録手段にて登録された端末のうち、前記検出手段により検出された端末と、前記検出手段により検出されなかった端末とが識別可能となるように、前記表示手段に表示させることを特徴とする請求項２記載の通信装置。
【請求項４】
前記制御手段は、前記端末の過去の接続状況に応じて、前記表示手段における前記端末の表示方法を変えることを特徴とする請求項１〜３のいずれかに記載の通信装置。
【請求項５】
前記端末の過去の接続状況とは、所定期間内における接続回数であることを特徴とする請求項４に記載の通信装置。
【請求項６】
前記検出手段により検出され、前記表示手段に表示された前記端末の中から、接続を行う端末を選択する選択手段を備えることを特徴とする請求項１〜５のいずれかに記載の通信装置。
【請求項７】
前記端末との接続が、ブルートゥースによる無線接続であることを特徴とする請求項１〜６のいずれかに記載の通信装置。
【請求項８】
請求項１〜７のいずれかに記載の通信装置と端末とから成る通信システム。
【請求項９】
コンピュータを請求項１〜７のいずれかに記載の制御手段として機能させるプログラム。
【発明の詳細な説明】
【技術分野】
【０００１】
本発明は、複数の端末（例えば携帯電話）と接続することができる通信装置、通信システム、及びプログラムに関する。
【背景技術】
【０００２】
従来より、携帯電話等の端末と、ブルートゥース（ＢＴ）により接続可能な車載装置が知られている（特許文献１参照）
図７に示すように、このような車載装置Ｐ１は、接続可能な端末として、複数の端末Ｐ３、Ｐ５、Ｐ７を登録しておくことができ、ユーザは、その登録された複数の端末の中から１つの端末（図Ｐ１では端末Ｐ３）を選択することができる。車載装置Ｐ１は、選択された端末に対して呼び出しを行い、その端末から応答があれば、ＢＴによる無線接続を行う。
【特許文献１】特願２００３−９２３３５号公報
【発明の開示】
【発明が解決しようとする課題】
【０００３】
車載装置Ｐ１に登録された複数の端末Ｐ３、Ｐ５、Ｐ７は、車載装置Ｐ１から離れすぎていたり、端末の電源がＯＦＦである場合は、接続不能である。従来の車載装置Ｐ１では、端末が接続不能であるか否かは、ユーザが実際にその端末を選択し、車載装置Ｐ１から接続を試みるまで分からなかった。
【０００４】
そのため、ユーザがある端末を選択し、車載装置Ｐ１から接続を試みても、その端末が接続不能である場合は、結局接続できず、不便であった。
また、従来の車載装置Ｐ１では、端末Ｐ３に接続された状態から、別の端末Ｐ５に接続を切り替えるには、ユーザが複雑な操作をする必要があった。この操作を図８〜図１２を用いて具体的に説明する。
【０００５】
車載装置Ｐ１が端末Ｐ３と接続している状態で、ユーザが車載装置Ｐ１の操作部における情報キーを押し下げると、車載装置Ｐ１の表示部に図８の情報画面Ｐ９が表示される。この情報画面Ｐ９においてＴＥＬキーＰ１１を押し下げると、図９の電話画面Ｐ１３が表示される。この電話画面Ｐ１３において設定キーＰ１５を押し下げると、図１０の電話設定画面Ｐ１７が表示される。この電話設定画面Ｐ１７をスクロールさせて図１１の画面を表示させ、選択キーＰ１９を押し下げると、図１２に示す電話機選択画面Ｐ２１が表示される。この電話機選択画面Ｐ２１において、端末Ｐ５に対応するキー（デバイス名２）Ｐ２３を押し下げると、車載装置Ｐ１の接続が端末Ｐ３から端末Ｐ５に切り替わる。このように、従来の車載装置Ｐ１では接続する端末の切り替えは、非常に煩雑な操作が必要であった。
【０００６】
本発明は以上の点に鑑みなされたものであり、端末が接続可能であるか否かをユーザが簡単に知ることができ、確実に端末と接続することができ、接続する端末の切り替えが容易である通信装置、通信システム、及びプログラムを提供することを目的とする。
【課題を解決するための手段】
【０００７】
（１）請求項１の通信装置は、検出手段により端末を検出し、その検出した端末を表示手段により表示することができる。検出できた携帯電話は接続可能であるので、ユーザは、表示された端末が接続可能であることを知ることができる。そのため、ユーザは、表示手段に表示された端末を選択すれば、その端末と通信装置とを確実に接続させることができる。
【０００８】
また、１つの端末に接続した状態から、他の端末に接続を切り替えるときも、新たに接続する端末として、表示手段に表示された端末を選択すれば、確実に接続を切り替えることができる。
【０００９】
・前記端末としては、例えば、携帯電話、ＰＨＳ端末等が挙げられる。
・前記通信装置としては、例えば、緊急通報装置、ナビゲーション等の各種車載装置が挙げられる。
【００１０】
・前記検出手段としては、例えば、端末に向けてインクワイアリ（問い合わせ）を実施し、端末からそれに対する応答があれば、端末を検出したとし、応答が無ければ端末を検出しなかったとするものが挙げられる。
【００１１】
・前記表示装置としては、例えば、液晶、ＣＲＴ、有機ＥＬ等の方式で画像を表示できるものが挙げられる。
（２）請求項２の通信装置は、登録手段により登録した端末について検出を行うので、検出を正確に行うことができる。
【００１２】
また、登録した端末を表示手段に表示させるので、ユーザは登録した端末を知ることができ、便利である。
（３）請求項３の通信装置は、登録された端末のうち、検出手段により検出された端末と、検出手段により検出されなかった端末とが識別可能となるように表示するので、ユーザは、検出された端末（接続可能な端末）と、検出されなかった端末（接続不能な端末）とを識別することができる。そのため、ユーザは、検出された端末を選択し、その端末と通信装置とを確実に接続させることができる。
【００１３】
また、１つの端末に接続した状態から、他の端末に接続を切り替えるときも、ユーザは、新たに接続する端末として、検出された端末を選択し、確実に接続を切り替えることができる。
（４）請求項４の通信装置は、端末の過去の接続状況に応じて、表示手段における端末の表示方法を変えることができる。例えば、端末を、過去の接続回数の多い順番、最後に使用した時期の順番等に従って表示することができる。
【００１４】
そのため、ユーザは、過去の使用状況に応じて接続する端末を選択できるので便利である。
（５）請求項５の通信装置は、所定期間内における接続回数に応じて、表示手段における端末の表示方法を変えることができる。そのため、ユーザは、過去の接続回数に応じて接続する端末を選択できるので便利である。
（６）請求項６の通信装置を用いれば、ユーザは、選択手段により、容易に接続する端末を選択することができる。
【００１５】
また、１つの端末に接続した状態から、他の端末に接続を切り替えるときも、選択手段により新たな端末を選択するだけでよいので、ユーザの操作負担が少なくて済む。
・前記選択手段としては、ユーザが必要なデータを入力するものであれば特に限定されず、各種スイッチ、キーボード、マウス、音声入力装置等が挙げられる。
（７）請求項７の通信装置は、ブルートゥースにより端末と接続することができる。また、検出手段をブルートゥースモジュールとすれば、端末の検出は、ブルートゥースモジュールからのインクワイアリ（問い合わせ）により行うことができる。
（８）請求項８の通信システムは、請求項１〜７の通信装置を備えることにより、上記の作用効果を奏することができる。
（９）請求項９のプログラムは、コンピュータを請求項１〜７のいずれかに記載の制御手段として機能させることができる。
【発明を実施するための最良の形態】
【００１６】
以下、本発明を実施するための最良の形態を実施例を用いて説明する。
【実施例１】
【００１７】
ａ）まず、本実施例１の車載装置（通信装置）と携帯電話（端末）から成る車載システム（通信システム）の構成を図１のブロック図を用いて説明する。
車載装置１は、互いに通信可能に接続されたＣＰＵ（制御手段）３、メモリ５、ブルートゥースモジュール（検出手段）７、表示装置（表示手段）９、及び操作装置（登録手段、選択手段）１１を備えている。
【００１８】
ＣＰＵ３は、メモリ５に格納されたプログラムを実行し、他の構成要素を制御して、後述する処理を行う。
ブルートゥースモジュール７は、ＨＣＩと呼ばれるハードウエアとソフトウエアを併せ持つプログラムインターフェース、リンク管理層、ベースバンド処理、及びＲＦトランシーバー等とからなっている無線ＬＡＮ用のモジュールであって、ブルートゥースモジュールを搭載したブルートゥース機器である複数の携帯電話１３ａ、１３ｂ、１３ｃ・・・との間でピコネットと呼ばれる無線ネットワークを形成し得るようになっている。より具体的に述べると、ブルートゥースモジュール７は、形成するネットワークにおけるマスタとして機能し、インクワイアリ（問い合わせ）を実施して通信範囲内にどのようなブルートゥース機器が存在するかを確認するとともに、ページング（呼び出し）を実施して通信範囲内に存在するブルートゥース機器をネットワークに参加させ、その後、これらの機器を通信待機モードに変更することで、必要時にこれらの機器との間で無線通信を開始できるようになっている。
【００１９】
表示装置９は、液晶表示装置であって、画像を表示することができる。
操作装置１１は、各種スイッチを備えており、ユーザからの指示を受け入れることができる。
【００２０】
ｂ）次に、車載装置１（特にＣＰＵ３）が実行する処理を図２〜図５を用いて説明する。
車載装置１は、ユーザによる携帯電話１３の登録を受け付けることができる。具体的には、車載装置１の表示装置９が、図２（ａ）に示す登録画面を表示した状態で、ユーザが操作装置１１により携帯電話１３ａ、１３ｂ、１３ｃを入力すると、それらの携帯電話が登録され、表示装置９に表示される。
【００２１】
車載装置１は、車両のイグニッション（ＩＧ）がＯＮとなると、登録された携帯電話１３ａ、１３ｂ、１３ｃの検出、及び選択された携帯電話への接続を行う。この処理を図３のフローチャートを用いて説明する。
【００２２】
ステップ１００では、登録されている携帯電話があるか否かを判断する。登録されている携帯電話がある場合はステップ１１０に進み、登録されている携帯電話がない場合は一旦本処理を終了する。
【００２３】
ステップ１１０では、登録された携帯電話Ｘが検出できるか否かを判断する。ここで、Ｘは１３ａ、１３ｂ、１３ｃのいずれかである。
携帯電話Ｘの検出は、次のように行う。すなわち、車載装置１のブルートゥースモジュール７によるインクワイアリ（問い合わせ）を実施し、携帯電話Ｘからそれに対する応答があれば、携帯電話Ｘを検出したと判断する。所定時間内にインクワイアリに対する応答が無ければ、検出できなかったと判断する。
【００２４】
携帯電話Ｘを検出できた場合は、ステップ１２０に進み、携帯電話Ｘの検出を決定する。一方、携帯電話Ｘを検出できなかった場合はステップ１９０に進み、携帯電話Ｘの非検出を決定する。
【００２５】
ステップ１３０では、登録された携帯電話１３ａ、１３ｂ、１３ｃの中に、未だステップ１１０における検出の有無の判断を行っていないものがあるか否かを判断する。検出の有無の判断を行っていない携帯電話があれば、ステップ１１０に戻り、その携帯電話が検出できるかを判断する。登録された携帯電話１３ａ、１３ｂ、１３ｃの全てについて検出の有無を判断し終わったときはステップ１４０に進む。
【００２６】
ステップ１４０では、前記ステップ１１０及び１２０にて検出された携帯電話を表示装置９に表示する。例えば、登録された携帯電話１３ａ、１３ｂ、１３ｃの全てが検出された場合は、図２（ｂ）に示すように、それらを表示装置９に表示する。また、登録された携帯電話１３ａ、１３ｂ、１３ｃのうち、携帯電話１３ａ、１３ｂのみが検出でき、携帯電話１３ｃは検出できなかった場合は、図２（ｃ）に示すように、携帯電話１３ａ、１３ｂを表示装置９に表示する。
【００２７】
図３のステップ１５０では、ユーザの指示に応じて接続を行う携帯電話を選択する。つまり、表示装置９に図２（ｃ）の画面が表示された状態で、ユーザが、表示された（すなわち検出された）携帯電話の中から、１つの携帯電話を操作装置１１により選ぶと、それが選択された携帯電話となる。表示装置９は、選択された携帯電話（ここでは携帯電話１３ａとする）に、図２（ｄ）に示すように、「選択」の文字を付して、他の選択されなかった携帯電話と区別して表示する。
【００２８】
ステップ１６０では、前記ステップ１５０にて選択された携帯電話１３ａと接続する。具体的には、ブルートゥースモジュール７からページング（呼び出し）を行って携帯電話１３ａをネットワークに参加させ、その後、携帯電話１３ａを通信待機モードに変更することで、必要時に携帯電話１３ａとの間で無線通信を開始できるようにする。
【００２９】
ステップ１７０では、ユーザからの選択変更処理に応じて、携帯電話の選択を切り替える。この処理を図４を用いて具体的に説明する。図４（ａ）は、携帯電話１３ａ、１３ｂ、１３ｃが検出され、そのうち、携帯電話１３ａが選択されているときにおける表示装置９の画面である。
【００３０】
この状態において、ユーザが携帯電話１３ｂに選択を切り替えたいときは、操作装置１１により、携帯電話１３ｂに選択を変更する指示を入力するだけでよい。その入力があると、車載装置１は、携帯電話１３ａの選択を解除し、携帯電話１３ｂを新たに選択する。このとき、図４（ｂ）に示すように、新たに選択された携帯電話１３ｂには「選択」の文字が付され、選択されない他の携帯電話とは区別して表示される。尚、新たに選択する携帯電話は、携帯電話１３ｃであってもよい。
【００３１】
図３のステップ１８０では、前記ステップ１７０にて新たに選択された携帯電話１３ｂに接続する。接続の処理は前記ステップ１６０と同様である。
ｃ）次に、本実施例１の車載システムが奏する効果を説明する。
【００３２】
i)本実施例１では、登録された携帯電話１３ａ、１３ｂ、１３ｃのうち、車載装置１が検出できた携帯電話は表示装置９に表示され、検出できなかった携帯電話は表示されない。検出できた携帯電話は接続可能であるので、ユーザは、表示された携帯電話は接続可能であることを知ることができる。そのため、ユーザは、表示装置９に表示された携帯電話を選択すれば、その携帯電話と車載装置１とを確実に接続させることができる。
【００３３】
また、１つの携帯電話に接続した状態から、他の携帯電話に接続を切り替えるときも、新たに接続する携帯電話として、表示装置９に表示された携帯電話を選択すれば、確実に接続を切り替えることができる。
【００３４】
ii)本実施例１の車載システムでは、１つの携帯電話に接続した状態から、他の携帯電話に接続を切り替える操作が容易である。つまり、検出された（接続可能な）携帯電話は表示装置９に全て表示されているので、新たに接続したい携帯電話を選択するだけで、その携帯電話に接続を切り替えることができる。
【実施例２】
【００３５】
本実施例２の車載システムの構成、作用は基本的には前記実施例１と同様である。ただし、本実施例２では、図３のステップ１３０にて表示装置９に表示される画面は、図５に示す画面である。この表示画面では、登録された携帯電話１３ａ、１３ｂ、１３ｃは全て表示される。そして、検出された携帯電話（図５では携帯電話１３ａと１３ｂ）には「検出」という文字が付され、検出されなかった携帯電話（図５では携帯電話１３ｃ）には「検出できず」という文字が付され、区別される。
【００３６】
尚、前記実施例１と同様に、ユーザは、検出された携帯電話の中から、接続する携帯電話を選択することができる。選択された携帯電話には、「選択」の文字が付され、選択されていない他の携帯電話と区別される。
【００３７】
本実施例２の車載システムは、前記実施例１の車載システムと同様の効果を奏することができる。更に、登録された携帯電話のうち、検出できなかった携帯電話も表示するので、ユーザはそのような携帯電話があることを知ることができ、便利である。
【実施例３】
【００３８】
本実施例３の車載システムの構成、作用は基本的には前記実施例１と同様である。ただし、本実施例３の車載装置１は、登録された携帯電話１３ａ、１３ｂ、１３ｃのそれぞれについて、過去の一定期間に接続した回数をカウントし、メモリ５に記憶しておく。
【００３９】
そして、図３のステップ１３０にて表示装置９に表示される画面では、図６に示すように、検出した携帯電話のうち、過去の接続回数が最も多いものを最も上に表示し、２番目に接続回数が多いものは上から２番目、３番目に接続回数が多いものは上から３番目・・・というように表示する。
【００４０】
図６に示す例では、携帯電話１３ａ、１３ｂ、１３ｃの接続回数は、それぞれ、１５回、１０回、２０回であるので、表示装置９には、携帯電話１３ｃ、１３ａ、１３ｂの順に、上から表示される。
【００４１】
本実施例３の車載システムは、前記実施例１の車載システムと同様の効果を奏することができる。更に、ユーザは過去に最も多く接続した携帯電話を知ることができ、便利である。
【００４２】
尚、本発明は前記実施例になんら限定されるものではなく、本発明を逸脱しない範囲において種々の態様で実施しうることはいうまでもない。
例えば、前記実施例１〜３において、選択された携帯電話を、他の携帯電話から識別可能に表示する方法は、「選択」という文字を付する方法には限定されず、例えば、選択された携帯電話の表示色を他の携帯電話の表示色とは異なる色としたり、選択された携帯電話の表示の大きさ、位置、形などを、他の携帯電話のそれらとは異なるものとする方法がある。
【００４３】
また、前記実施例３において、検出された携帯電話を、他の携帯電話から識別可能に表示する方法は、「検出」という文字を付する方法には限定されず、例えば、検出された携帯電話の表示色を検出されなかった携帯電話の表示色とは異なる色としたり、検出された携帯電話の表示の大きさ、位置、形などを、検出されなかった携帯電話のそれらとは異なるものとする方法がある。
【００４４】
また、前記実施例３において、検出された携帯電話を表示する順番は、最も直近に使用した携帯電話であるほど、上に表示するようにしてもよい。また、検出された携帯電話を表示する順番は、ユーザが操作装置１１により設定した順番としてもよい。
【図面の簡単な説明】
【００４５】
【図１】車載システムの構成を表すブロック図である。
【図２】車載装置の表示装置に表示される画面を表す説明図である。
【図３】車載装置が実行する処理を表すフローチャートである。
【図４】車載装置の表示装置に表示される画面を表す説明図である。
【図５】車載装置の表示装置に表示される画面を表す説明図である。
【図６】車載装置の表示装置に表示される画面を表す説明図である。
【図７】従来の車載装置の構成を表す説明図である。
【図８】従来の車載装置において接続端末を切り替える処理を表す説明図である。
【図９】従来の車載装置において接続端末を切り替える処理を表す説明図である。
【図１０】従来の車載装置において接続端末を切り替える処理を表す説明図である。
【図１１】従来の車載装置において接続端末を切り替える処理を表す説明図である。
【図１２】従来の車載装置において接続端末を切り替える処理を表す説明図である。
【符号の説明】
【００４６】
１・・・車載装置
３・・・ＣＰＵ
５・・・メモリ
７・・・ブルートゥースデバイス
９・・・表示装置
１１・・・操作装置
１３ａ、１３ｂ、１３ｃ・・・携帯電話
【図１】
2006005744.tif 000003
【図２】
2006005744.tif 000004
【図３】
2006005744.tif 000005
【図４】
2006005744.tif 000006
【図５】
2006005744.tif 000007
【図６】
2006005744.tif 000008
【図７】
2006005744.tif 000009
【図８】
2006005744.tif 000010
【図９】
2006005744.tif 000011
【図１０】
2006005744.tif 000012
【図１１】
2006005744.tif 000013
【図１２】
2006005744.tif 000014